(57)【要約】【課題】雨水利用装置を設置する際に、日常生活における経済性等を考慮しつつ、建物全体の外観性を向上させることができるとともに、震災時におけるライフラインの確保が可能な建物を提供することを目的とする。【解決手段】外周壁１１の上部にパラペット壁１２が設けられるとともに、このパラペット壁１２に囲まれた部分に屋根２０が設けられており、前記パラペット壁１２と屋根２０との間は、雨水を受けるための内樋部３０により接続され、この内樋部３０には雨水を排水するためのドレーン管３１が埋設されており、前記内樋部３０の下方において前記外周壁１１の内側に、前記ドレーン管３１に接続され、雨水を貯留して浄化する雨水浄化タンク４１と、この雨水浄化タンク４１に接続され、建物１０の所定箇所に配管される配水管４２とを備えた雨水利用装置４０が設置されていることを特徴とする建物１０。【選択図】図１
2007303203.tif 000002
【特許請求の範囲】
【請求項１】
外周壁の上部にパラペット壁が設けられるとともに、このパラペット壁に囲まれた部分に屋根が設けられており、
前記パラペット壁と屋根との間は、雨水を受けるための内樋部により接続され、この内樋部には雨水を排水するためのドレーン管が埋設されており、
前記内樋部の下方において前記外周壁の内側に、前記ドレーン管に接続され、雨水を貯留して浄化する雨水浄化タンクと、この雨水浄化タンクに接続され、建物の所定箇所に配管される配水管とを備えた雨水利用装置が設置されていることを特徴とする建物。
【請求項２】
請求項１に記載の建物において、
前記屋根の下方に部屋が設けられ、この部屋に、前記外周壁と平行かつ所定間隔離間する壁部が設けられており、この壁部と前記外周壁との間が、前記雨水浄化タンクを設置するための設置スペースとなっていることを特徴とする建物。
【請求項３】
請求項２に記載の建物において、
前記外周壁には、前記設置スペースに面して透光性を有する面材が設けられていることを特徴とする建物。
【請求項４】
請求項１〜３のいずれか一項に記載の建物において、
前記雨水浄化タンクは建物の上階部分に設置されており、前記配水管は建物の下階部分に向かって配管されていることを特徴とする建物。
【請求項５】
請求項１〜４のいずれか一項に記載の建物において、
前記雨水浄化タンクの上部には、この雨水浄化タンクからオーバーフローした雨水を排水するための排水管が設けられていることを特徴とする建物。
【発明の詳細な説明】
【技術分野】
【０００１】
本発明は、雨水利用装置が設置された建物に関する。
【背景技術】
【０００２】
従来、雨水の大半は、何ら利用される機会を経ずに、通常の生活用水と同様に側溝を通して下水に放流されるか、地中にそのまま浸透させていた。しかも、飲料以外の用途に対する生活用水については、上水道を使用するのが一般的であった。そのことは、生活用水全体についての経済性を考えた場合、非常に無駄が多いと言える。
そこで近年、建物の屋根に降った雨水を貯水タンクに貯めて、トイレの洗浄水等の生活用水として有効に利用する技術が提案されている（例えば、特許文献１参照）。
【特許文献１】特開平０９−０６７８３８号公報
【発明の開示】
【発明が解決しようとする課題】
【０００３】
ところが、上記特許文献１に記載のような貯水装置は、貯水槽だけでなく、これに付属する種々の管も全て建物の外部に設置されて露出した状態となっているので、建物の外観性を著しく低下させてしまう場合があった。
さらに、このように外部に露出した状態であると、例えば震災時において配管の破損や貯水槽の倒れ込み、外的要因による貯水槽の破損等があった場合に、雨水を貯留できずにライフラインの確保が困難になるなど、様々な影響を受けやすいため、貯水装置を建物の内部に納めて設置したいという要望があった。また、これに伴って貯水装置に接続される軒樋や縦樋も目隠ししたいという要望があった。
【０００４】
また、上記特許文献１に記載のような貯水装置は、より地面に近い位置に設置されているので、貯水槽に貯留した雨水をトイレや風呂等、建物内に供給するためにポンプが必要であったため、省エネやコストの低下も強く望まれていた。
【０００５】
本発明の課題は、雨水利用装置を設置する際に、日常生活における経済性等を考慮しつつ、建物全体の外観性を向上させることができるとともに、震災時におけるライフラインの確保が可能な建物を提供することを目的とする。
【課題を解決するための手段】
【０００６】
請求項１に記載の発明は、例えば図１および図２に示すように、外周壁１１の上部にパラペット壁１２が設けられるとともに、このパラペット壁１２に囲まれた部分に屋根２０が設けられており、
前記パラペット壁１２と屋根２０との間は、雨水を受けるための内樋部３０により接続され、この内樋部３０には雨水を排水するためのドレーン管３１が埋設されており、
前記内樋部３０の下方において前記外周壁１１の内側に、前記ドレーン管３１に接続され、雨水を貯留して浄化する雨水浄化タンク４１と、この雨水浄化タンク４１に接続され、建物１０の所定箇所に配管される配水管４２とを備えた雨水利用装置４０が設置されていることを特徴とする。
【０００７】
請求項１に記載の発明によれば、前記外周壁１１の上部に設けられたパラペット壁１２と屋根２０との間が前記内樋部３０により接続されており、この内樋部３０にドレーン管３１が埋設されるとともに、このドレーン管３１に雨水浄化タンク４１が接続されているので、屋根２０に流れる雨水を前記雨水浄化タンク４１に確実に貯留することができる。
また、このように前記パラペット壁１２と屋根２０との間が、前記内樋部３０により接続されていることから、この内樋部３０を外部からは見えない位置に設けることができるので、建物１０の外観性を向上させることができる。しかも、この内樋部３０の下方において前記外周壁１１の内側に、前記雨水利用装置４０が設置されていることから、この雨水利用装置４０を外部からは見えない位置、すなわち建物１０の内部に設けることができるので、建物１０の外観性をより向上させることができる。
そして、このように前記雨水利用装置４０を建物１０の内部に設けることができるので、従来とは異なり、前記ドレーン管３１の破損や雨水浄化タンク４１の破損等を防いで雨水を確実に貯留しておくことができ、震災時におけるライフラインの確保が可能となる。
【０００８】
請求項２に記載の発明は、例えば図１および図２に示すように、請求項１に記載の建物１０において、
前記屋根２０の下方に部屋２１が設けられ、この部屋２１に、前記外周壁１１と平行かつ所定間隔離間する壁部２２が設けられており、この壁部２２と前記外周壁１１との間が、前記雨水浄化タンク４１を設置するための設置スペース３２となっていることを特徴とする。
【０００９】
請求項２に記載の発明によれば、前記屋根２０の下方に設けられた部屋２１に、前記外周壁１１と平行かつ所定間隔離間する壁部２２が設けられており、この壁部２２と前記外周壁１１との間が前記設置スペース３２となっているので、この設置スペース３２に前記雨水浄化タンク４１を確実に設置することができる。これによって、この雨水浄化タンク４１を建物１０の内部に設けることができるので、建物１０の外観性をさらに向上させることができ、その上、この雨水浄化タンク４１の破損等を防いで雨水を確実に貯留しておくことができ、震災時におけるライフラインの確保が可能となる。
【００１０】
請求項３に記載の発明は、例えば図１に示すように、請求項２に記載の建物１０において、
前記外周壁１１には、前記設置スペース３２に面して透光性を有する面材１３が設けられていることを特徴とする。
【００１１】
請求項３に記載の発明によれば、前記外周壁１１に、前記設置スペース３２に面して透光性を有する面材１３が設けられていることから、この透光性を有する面材１３を通過して前記設置スペース３２へと太陽光が射し込むので、前記設置スペース３２に設けられた雨水浄化タンク４１内の雨水を温めて蓄熱することができる。これによって、例えば夜間や冬場においては、前記雨水浄化タンク４１からの放熱によって部屋２１内を暖かく保つことができ、快適な居住環境を形成することができる。しかも、このように部屋２１内を暖かく保つことができるので、例えば空調機器等に係るコストを抑えることが可能となり、その上、多くのエネルギー消費を抑制することが可能となる。
【００１２】
請求項４に記載の発明は、例えば図１および図２に示すように、請求項１〜３のいずれか一項に記載の建物１０において、
前記雨水浄化タンク４１は建物１０の上階部分１０ａに設置されており、前記配水管４２は建物１０の下階部分１０ｂに向かって配管されていることを特徴とする。
【００１３】
請求項４に記載の発明によれば、前記雨水浄化タンク４１が建物１０の上階部分１０ａに設置されており、前記配水管４２が建物１０の下階部分１０ｂに向かって配管されていることから、従来とは異なり、ポンプ等を使用せずに、浄化した雨水を容易かつ確実に供給することができる。これによって、従来のようにポンプの作動に係るコストやエネルギーを抑制することが可能となる。
【００１４】
請求項５に記載の発明は、例えば図１に示すように、請求項１〜４のいずれか一項に記載の建物１０において、
前記雨水浄化タンク４１の上部には、この雨水浄化タンク４１からオーバーフローした雨水を排水するための排水管４３が設けられていることを特徴とする。
【００１５】
請求項５に記載の発明によれば、前記雨水浄化タンク４１の上部に、この雨水浄化タンク４１からオーバーフローした雨水を排水するための排水管４３が設けられているので、台風等の多雨時であっても建物１０内に雨水が浸水することがない。
【発明の効果】
【００１６】
本発明によれば、建物の外周壁の上部に設けられたパラペット壁と屋根との間が内樋部により接続されており、この内樋部にドレーン管が埋設されるとともに、このドレーン管に雨水浄化タンクが接続されているので、屋根に流れる雨水を雨水浄化タンクに確実に貯留することができる。
また、このように前記パラペット壁と屋根との間が、前記内樋部により接続されていることから、この内樋部を外部からは見えない位置に設けることができるので、建物の外観性を向上させることができる。しかも、この内樋部の下方において前記外周壁の内側に、雨水利用装置が設置されていることから、この雨水利用装置を外部からは見えない位置、すなわち建物の内部に設けることができるので、建物の外観性をより向上させることができる。
そして、このように前記雨水利用装置を建物の内部に設けることができるので、従来とは異なり、前記ドレーン管の破損や雨水浄化タンクの破損等を防いで雨水を確実に貯留しておくことができ、震災時におけるライフラインの確保が可能となる。
【００１７】
また、前記外周壁に、前記雨水浄化タンクの設置スペースに面して透光性を有する面材が設けられていることから、この透光性を有する面材を通過して前記設置スペースへと太陽光が射し込むので、前記設置スペースに設けられた雨水浄化タンク内の雨水を温めて蓄熱することができる。これによって、例えば夜間や冬場においては、前記雨水利用タンクからの放熱によって部屋内を暖かく保つことができ、快適な居住環境を形成することができる。しかも、例えば空調機器等に係るコストを抑えることが可能となり、その上、多くのエネルギー消費を抑制することが可能となる。
【００１８】
さらに、前記雨水浄化タンクが建物の上階部分に設置されており、前記配水管が建物の下階部分に向かって配管されていることから、従来とは異なり、ポンプ等を使用せずに、浄化した雨水を容易かつ確実に供給することができる。これによって、従来のようにポンプの作動に係るコストやエネルギーを抑制することが可能となる。
【００１９】
これによって、雨水利用装置を建物に設置する際に、日常生活における経済性等を考慮しつつ、建物全体の外観性を向上させることができるとともに、震災時におけるライフラインの確保が可能となる。
【発明を実施するための最良の形態】
【００２０】
以下、図面を参照して本発明の実施の形態について説明する。なお、本実施の形態の建物１０は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
本実施の形態の建物１０は、図１および図２に示すように、外周壁１１の上部にパラペット壁１２が設けられるとともに、このパラペット壁１２に囲まれた部分に屋根２０が設けられており、
前記パラペット壁１２と屋根２０との間は、雨水を受けるための内樋部３０により接続され、この内樋部３０には雨水を排水するためのドレーン管３１が埋設されており、
前記内樋部３０の下方において前記外周壁１１の内側に、前記ドレーン管３１に接続され、雨水を貯留して浄化する雨水浄化タンク４１と、この雨水浄化タンク４１に接続され、建物１０の所定箇所に配管される配水管４２とを備えた雨水利用装置４０が設置されている。
なお、本実施の形態の建物１０は、上階１０ａと下階１０ｂとを備えた２階建ての住宅である。
【００２２】
前記外周壁１１は、建物１０の外周を取り囲み、上下階１０ａ，１０ｂにわたって設けられる壁であり、図１に示すように外周壁１１の一部に凹部１１Ａがあり、この凹部１１Ａには玄関やベランダ、窓等が設けられる。
【００２３】
また、前記外周壁１１を構成する壁パネル１１ａの上端には、パラペット壁１２を構成する壁パネル１２ａがボルトや接着剤等により取り付けられている。そして、外周壁１１を構成する壁パネル１１ａには、後述する排水管４３が貫通する貫通孔４３ａが形成されている。
なお、前記外周壁１１を構成する壁パネル１１ａおよび前記パラペット壁１２を構成する壁パネル１２ａの外周面は、外装材１４で被覆されている。
【００２４】
一方、本実施の形態の屋根２０は、図１に示すように切妻屋根２０であり、建物１０中央に棟２０ｂが形成されるとともに、この棟２０ｂから傾斜する勾配屋根２０が設けられている。
また、この屋根２０の下方には部屋２１が設けられており、この部屋２１に、前記外周壁１１と平行かつ所定間隔離間する壁部２２が設けられている。この壁部２２は、側断面視において妻壁２０ａと上下に連続するようにして設けられている。
【００２５】
そして、前記壁部２２と前記外周壁１１との間が、前記雨水浄化タンク４１を設置するための設置スペース３２となっているので、この設置スペース３２に前記雨水浄化タンク４１を確実に設置することができる。これによって、この雨水浄化タンク４１を建物１０の内部に設けることができるので、建物１０の外観性を向上させることができ、その上、この雨水浄化タンク４１の破損等を防いで雨水を確実に貯留しておくことができ、震災時におけるライフラインの確保が可能となる。
【００２６】
前記内樋部３０は、一般に軒や壁の内側に隠して設けられた雨樋のことを言い、本実施の形態においては、前記屋根２０を流れる雨水を受けるためのものであり、前記パラペット壁１２と屋根２０との間を接続している。なお、この内樋部３０には、図示はしないが防水シートが敷設されており、この防水シートは前記内樋部３０だけでなく、前記パラペット壁１２の内側や妻壁２０ａの外側等にも貼り付けられており、前記内樋部３０付近の防水性を高めている。これによって、建物１０内への雨水の侵入を確実に防ぐことができる。
なお、防水シートとしては、塩ビシート等を用いることが好ましい。塩ビシートのみの屋根２０仕上げとすることで、塩ビシートの表面の状態を外から把握することができるため、防水工のメンテナンスを容易にすることができる。
【００２７】
また、この内樋部３０には雨水を排水するためのドレーン管３１が埋設されており、このドレーン管３１は、前記雨水浄化タンク４１に接続され、これによって、前記屋根２０に流れる雨水を雨水浄化タンク４１に確実に貯留することができる。
さらに、この内樋部３０は、前記パラペットの内側に設けられた状態となっているので、外部からは見えない位置に設けられており、建物１０の外観性を向上させることができるようになっている。
【００２８】
なお、前記ドレーン管３１の上部には、図示はしないが、ゴミ取り網を設けて、ゴミがなるべく雨水利用装置４０に流れていかないようにしておくことが望ましい。
【００２９】
前記雨水利用装置４０は、上述したように前記内樋部３０の下方において前記外周壁１１の内側に、雨水利用装置４０が設置されており、前記ドレーン管３１に接続され、雨水を貯留して浄化する雨水浄化タンク４１と、この雨水浄化タンク４１に接続され、建物１０の所定箇所に配管される配水管４２とを備えている。
【００３０】
前記雨水浄化タンク４１は、図示はしないが、例えば集水した雨水中の汚濁物を沈降させるための沈降槽と、多孔状無機質濾過材層および木炭層を配設してなる濾過層と、金属多孔質プレートおよび滅菌プレートを配設してなる水質改良槽等とで構成されている。
前記沈降槽は、槽上部に設けたオーバーフロー口を通して前記濾過層に接続され、この濾過層は、槽下部に設けた流出口を通して前記水質改良槽に接続され、この水質改良槽には、浄化した雨水を槽下部に設けた流出口を通して建物１０の所定箇所に供給するための前記配水管４２が接続されている。
【００３１】
なお、前記多孔状無機質濾過材はガラスを主成分とするハニカム構造の焼結体からなり、前記木炭は活性炭からなり、前記金属多孔質プレートは多孔質アルミニウム焼結体からなり、前記滅菌プレートは超微粒子状Ａｇを含浸させた多孔質アルミニウム焼結体からなることが望ましい。
また、本実施の形態の雨水利用装置４０は以上のような基本構成としたが、これに限られるものではなく、本発明の趣旨を逸脱しない範囲で適宜変更可能である。
【００３２】
このような雨水浄化タンク４１によれば、雨水が前記沈降槽に流入し、ここで小さなゴミや土砂などの汚濁物が沈降作用によって除去されて一次浄化されたのち、槽上部に設けたオーバーフロー口を通して前記濾過層に流入する。
次いで、濾過層に流入した雨水は、上層に位置する多孔状無機質濾過材層および下層に位置する木炭層を順次に通過して二次浄化されたのち、槽下部に設けた流出口を経て次の水質改良槽に流入する。
そして、水質改良槽に流入した雨水は、ここで金属多孔質プレートおよび滅菌プレートに接触または浸透通過して三次浄化され、清浄でしかも水質的にも安全な浄化水となる。
【００３３】
また、前記配水管４２は、図１および図２に示すように、建物１０の下階１０ｂに設けられたトイレ１５に配管されていたり、外部の屋外水栓１６に配管されていたり、その他、図示はしないが風呂や庭の散水用としても用いることができる。
さらに、この配水管４２には、配水管４２の流出口などに取り付け、水の量を調節する金属製の器具等が取り付けられており、配管された建物１０の各箇所で水量調節ができるようになっている。
【００３４】
一方、前記雨水浄化タンク４１の上部には、図１に示すように、この雨水浄化タンク４１からオーバーフローした雨水を排水するための排水管４３が設けられている。これによって、台風等の多雨時であっても建物１０内に雨水が浸水することがない。
また、排水された雨水は、例えばサブタンク（図示せず）を予め隣接して設けておき、このサブタンクに貯留できるようにしたり、また、建物１０の他の箇所に設けられた雨水浄化タンク４１ａ，４１ｂに排水されるようにしても良いし、地下に地下タンク（図示せず）を設けて、この地下タンクに貯留しても良く、ただ単に排水しても良い。
【００３５】
なお、前記雨水浄化タンク４１は建物１０の上階部分１０ａに設置されており、前記配水管４２は建物１０の下階部分１０ｂに向かって配管されている。これによって、従来とは異なり、ポンプ等を使用せずに、浄化した雨水を容易かつ確実に供給することができるとともに、従来のようなポンプの作動に係るコストやエネルギーを抑制することが可能となる。
【００３６】
さらに、前記外周壁１１には、前記設置スペース３２に面して透光性を有する面材１３が設けられている。これによって、この透光性を有する面材１３を通過して前記設置スペース３２へと太陽光が射し込むので、前記設置スペース３２に設けられた雨水浄化タンク４１内の雨水を温めて蓄熱することができる。したがって、例えば夜間や冬場においては、前記雨水浄化タンク４１からの放熱によって部屋２１内を暖かく保つことができ、快適な居住環境を形成することができる。しかも、このように部屋２１内を暖かく保つことができるので、例えば空調機器等に係るコストを抑えることが可能となり、その上、多くのエネルギー消費を抑制することが可能となる。
なお、本実施の形態の統制を有する面材１３としては、ガラス板が用いられるが、上述のように外周壁１１に設けられるものなので外部に晒された状態となる。このため、例えば強化ガラス等、強度の高いガラス板を用いることが望ましい。
【００３７】
すなわち、以上のようにして雨水利用装置４０によって生活用水を供給し、その他、日常生活における経済性等の向上を図るようにする。
【００３８】
そして、以上のような雨水利用装置４０が、前記内樋部３０の下方において前記外周壁１１の内側に設置されていることから、この雨水利用装置４０を外部からは見えない位置、すなわち建物１０の内部に設けることができるので、建物１０の外観性をより向上させることが可能となっている。
その上、このように前記雨水利用装置４０を建物１０の内部に設けることができるので、従来とは異なり、前記ドレーン管３１の破損や雨水浄化タンク４１の破損等を防いで雨水を確実に貯留しておくことができ、震災時におけるライフラインの確保が可能となる。
【００３９】
次に、以上のような本実施の形態の建物１０に、図３に示すような太陽光発電システム５０を設けることについて説明する。
【００４０】
すなわち、前記屋根２０の屋根面に、太陽電池が設けられてなる太陽電池パネル５１が複数敷設された状態となっており、この太陽電池パネル５１によって得られた電力を蓄電装置５２によって蓄電しておくようにするものである。
【００４１】
ここで、前記蓄電装置５２は、図３に示すように、前記内樋部３０の下方において前記壁部２２と外周壁１１との間に設けられている。つまり、前記雨水利用装置４０が設けられていた設置スペース３２に蓄電装置５２を設けることができるようにしても良い。
このように建物１０に蓄電装置５２を設けることによって、建物１０に自家発電機能を持たせることができるので、例えば震災時における電力のライフラインの確保が可能となる。
【００４２】
そして、図２に示すように建物１０に雨水利用装置４０を設けるとともに、図３に示すように建物１０に蓄電装置５２を設けることによって、水の面、電力の面双方のライフラインの確保が可能となる。
したがって、例えば、この建物１０をオール電化住宅とした場合、震災時において外界と隔絶された場合にも、生活用水（非常用飲料水）の供給および電力の供給を行うことができるので、自然脅威に対する安全性が格段に高まる。
【００４３】
本実施の形態によれば、雨水利用装置４０を建物１０に設置する際に、日常生活における経済性等を考慮しつつ、建物１０全体の外観性を向上させることができるとともに、震災時におけるライフラインの確保が可能となる。
【００４４】
なお、本実施の形態の内樋部３０は、外周壁１１の上部にパラペット壁１２が設けられるとともに、このパラペット壁１２に囲まれた部分に切妻屋根２０が設けられた建物１０に適用されるものとして説明したが、これに限られるものではなく、例えば内樋部を有するフラットルーフが設けられた建物や、内樋部を有する寄棟屋根が設けられた建物、内樋部を有する片流れ屋根が設けられた建物、内樋部を有する入母屋屋根が設けられた建物、内樋部を有する方形屋根が設けられた建物等、種々の屋根形状を備えた建物にも適用することができる。
【図面の簡単な説明】
【００４５】
【図１】雨水利用装置が設置された本発明の建物を示す側断面図である。
【図２】雨水利用装置が設置された本発明の建物を示す斜視図である。
【図３】太陽光発電システムを設けた建物を示す斜視図である。
【符号の説明】
【００４６】
１０  建物
１１  外周壁
１２  パラペット壁
２０  屋根
３０  内樋部
３１  ドレーン管
４０  雨水利用装置
４１  雨水浄化タンク
４２  配水管
【図１】
2007303203.tif 000003
【図２】
2007303203.tif 000004
【図３】
2007303203.tif 000005